【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
レーザを制御するレーザシステムのための方法であって、
前記レーザの温度に対応する温度信号を生成するステップと、
前記レーザに対する駆動電流の第１の成分に対する第１の制御信号を生成するステップと、
前記駆動電流の第２の成分に対する第２の制御信号を生成するステップと、
を含み、
前記第２の制御信号は前記第１の制御信号と閾値電流信号とに基づいており、該閾値電流信号は前記温度信号に基づいている、方法。
【請求項２】
前記第１の成分が前記駆動電流の平均成分であり、前記第２の成分が前記駆動電流の変調成分である、請求項１に記載の方法。
【請求項３】
前記第２の制御信号を生成するステップが、下記の式：
Ｉmod＝Ｋmod×(Ｉavg−Ｉth)
を用いて前記第２の成分を算出するステップを含み、ここで、Ｉｍｏｄは前記第２の制御信号であり、Ｋｍｏｄは前記温度における線形係数信号であり、Ｉａｖｇは前記第１の制御信号であり、Ｉｔｈは前記温度における前記レーザの前記閾値電流信号である、請求項１に記載の方法。
【請求項４】
前記温度信号に基づいて前記線形係数信号と前記閾値電流信号とを決定するステップをさらに含む、請求項３に記載の方法。
【請求項５】
前記線形係数信号と前記閾値電流信号とを決定するステップが、前記温度信号に基づいて前記線形係数信号と前記閾値電流信号とを参照するステップと前記温度信号に基づいて前記線形係数信号と前記閾値電流信号とを算出するステップとからなるグループから選択されたステップを含む、請求項４に記載の方法。
【請求項６】
前記第２の制御信号を生成するステップが、
前記温度信号に基づいて前記閾値電流信号を決定するステップと、
前記第１の制御信号と前記閾値電流信号との差分を求めるステップと、
前記差分に基づいて前記第２の制御信号を決定するステップと、
を含む、請求項１に記載の方法。
【請求項７】
前記閾値電流信号を決定するステップが、前記温度信号に基づいて前記閾値電流信号を参照するステップと前記温度信号に基づいて前記閾値電流信号を算出するステップとからなるグループから選択されたステップを含み、前記第２の制御信号を決定するステップが、前記差分に基づいて前記第２の制御信号を参照するステップと前記差分に基づいて前記第２の制御信号を算出するステップとからなるグループから選択されたステップを含む、請求項６に記載の方法。
【請求項８】
前記第１の制御信号を生成するテップが、
前記温度信号に基づいて基準信号を決定するステップと、
前記レーザの光出力パワーを光学的に検出するステップと、
前記検出した光出力パワーに対応する電力信号を生成するステップと、
前記基準信号と前記電力信号との差分を求めるステップと、
前記差分から前記第１の制御信号を調整するステップと、
を含む、請求項１に記載の方法。
【請求項９】
前記基準信号を決定するステップが、前記温度信号に基づいて前記基準信号を参照するステップと前記温度信号に基づいて前記基準信号を算出するステップとからなるグループから選択されたステップを含む、請求項８に記載の方法。
【請求項１０】
前記第１の制御信号を調整するステップが、
前記基準信号が前記電力信号より大きく、かつ、前記第１の制御信号が最大値より小さい場合に、前記第１の制御信号を増分するステップと、
前記電力信号が前記基準信号より大きく、かつ、前記第１の制御信号が最小値より大きい場合に、前記第１の制御信号を減分するステップと、
を含む、請求項８に記載の方法。
【請求項１１】
前記閾値電流信号を較正するステップをさらに含み、該較正するステップが、
前記レーザの第２の温度に対応する温度信号を生成するステップと、
前記レーザの閾値電流に対する基準信号を決定するステップと、
前記レーザの光出力パワーを光学的に検出するステップと、
前記検出された光出力パワーに対応する電力信号を生成するステップと、
前記電力信号が前記基準信号に等しくなるまで前記第１の制御信号を調整するステップと、
前記温度信号と前記第１の制御信号とを前記レーザシステムのメモリに記憶するステップと、
を含み、
前記第１の制御信号は前記第２の温度における前記閾値電流信号であり、前記記憶するステップは、前記温度信号と前記第１の制御信号とをテーブルとして記憶するステップと前記温度信号と前記第１の制御信号とを関数として記憶するステップとからなるグループから選択されたステップを含む、請求項１に記載の方法。
【請求項１２】
前記基準信号を決定するステップが、前記温度信号に基づいて前記基準信号を参照するステップと前記温度信号に基づいて前記基準信号を算出するステップとからなるグループから選択されたステップを含む、請求項１１に記載の方法。
【請求項１３】
前記較正するステップに先立ち、
前記レーザシステムを自動較正モードに置くステップと、前記レーザシステムをオーブン内に置くステップと、前記オーブン内部の第３の温度を変更するステップと、
をさらに含む、請求項１１に記載の方法。
【請求項１４】
前記較正するステップに続きかつ前記第２の制御信号を生成するステップに先立ち、前記閾値電流信号を再較正するステップをさらに含み、該再較正するステップは、
前記温度信号に基づいて前記閾値電流信号の新値を求めるステップと、
前記温度信号に基づいて、前記メモリ内の前記閾値電流信号の記憶値を求めるステップと、
前記新値と前記記憶値との差分を求めるステップと、
前記差分を、他の温度における前記閾値電流信号の複数の記憶値に対するオフセットとして前記メモリに記憶するステップと、
を含む、請求項１１に記載の方法。
【請求項１５】
前記閾値電流信号の新値を求めるステップが、前記電力信号が前記基準信号に等しくなるまで前記第１の制御信号を調整するステップを含み、該第１の制御信号の値は前記閾値電流信号の新値である、請求項１４に記載の方法。
【請求項１６】
前記閾値電流信号の新値を求めるステップが、前記レーザがオンであることを検知するステップをさらに含む、請求項１５に記載の方法。
【請求項１７】
前記閾値電流信号の記憶値を求めるステップが、前記温度信号に基づいて前記記憶値を参照するステップと前記温度信号に基づいて前記記憶値を算出するステップとからなるグループから選択されたステップを含む、請求項１５に記載の方法。
【請求項１８】
前記第２の制御信号を生成するステップが、
前記温度信号に基づいて、前記閾値電流信号の第２の記憶値を求めるステップと、
前記第２の記憶値に前記オフセットを付加するステップと、
を含む、請求項１４に記載の方法。
【請求項１９】
前記第１および第２の制御信号がディジタル制御信号である、請求項１に記載の方法。
【請求項２０】
テーブルと関数とからなるグループから選択する態様で複数値の温度信号に対する複数値の閾値電流信号を記憶するメモリと、
温度センサからの前記温度信号と、前記温度信号に基づく前記メモリからの前記閾値電流信号とを受信するよう結合され、さらに、第１のレーザドライバに第１の制御信号を送信し、第２のレーザドライバに第２の制御信号を送信するように結合されたコントローラであって、前記第１及び第２のレーザドライバは、レーザに駆動電流を供給する、コントローラと、
を備え、
前記コントローラは、前記第１の制御信号と前記閾値電流信号とに基づいて前記第２の制御信号を調整する、レーザシステム。
【請求項２１】
前記第１のレーザドライバが、前記駆動電流の平均成分を供給し、前記第２のレーザドライバが、前記駆動電流の変調成分を供給する、請求項２０に記載のレーザシステム。
【請求項２２】
前記コントローラが、下記の式：
Ｉmod＝Ｋmod×(Ｉavg−Ｉth)
を用いて前記第２の制御信号を調整し、ここで、Ｉｍｏｄは前記第２の制御信号であり、Ｋｍｏｄは前記温度信号に基づく線形係数信号であり、Ｉａｖｇは前記第１の制御信号であり、Ｉｔｈは前記温度信号に基づく前記閾値電流信号である、請求項２０に記載のレーザシステム。
【請求項２３】
前記メモリが、複数値の前記温度信号に基づく複数値の線形係数信号をさらに記憶する、請求項２２に記載のレーザシステム。
【請求項２４】
前記メモリが、前記第１の制御信号と前記閾値電流信号との差分に基づく複数値の前記第２の制御信号をさらに記憶する、請求項２２に記載のレーザシステム。
【請求項２５】
前記メモリが、テーブルと関数とからなるグループから選択する態様で複数値の温度信号に対する複数値の基準信号をさらに記憶し、前記コントローラが、光センサから電力信号を受信するよう結合され、該コントローラは、前記温度信号に基づいて前記メモリから前記基準信号を受信するようさらに結合され、該コントローラが、前記基準信号と前記電力信号との差分に基づいて前記第１の制御信号を調整する、請求項２０に記載のレーザシステム。
【請求項２６】
前記メモリが、前記レーザの閾値出力信号に対する閾値基準信号をさらに記憶する、請求項２０に記載のレーザシステム。
【請求項２７】
前記メモリが、前記閾値電流信号の記憶値に付加されるオフセットをさらに記憶し、前記コントローラが、該オフセットを前記閾値電流信号の記憶値に付加して、該閾値電流信号の新値を得る、請求項２６に記載のレーザシステム。
【請求項２８】
前記第１および第２の制御信号がディジタル制御信号である、請求項２０に記載のレーザシステム。